(57)【要約】【課題】ねじキャップに対するグリップ力を確保しつつ、キャップの外観形状を様々に選択することができる新規なねじキャップを提供する。【解決手段】天壁11の外縁から垂下する周壁12を有して、その内側に空間が形成される外筒体10Aと、この外筒体10Aの内側に配置されるとともに容器の口筒部に取り外し可能にねじ付けられる周壁14bを有する内筒体10Bを備え、外筒体10Aの周壁12bを、変形及び復元が可能な材料で形成する一方、外筒体10Aの周壁下端部12aと内筒体10Bの周壁下端部14aとにそれぞれ、互いを固定する固定部C1,C2に設け、当該固定部C1,C2を除く内筒体の周壁14bと外筒体の周壁12bとの間に、軸線O周りを周回する環状の隙間ΔCを形成するとともに、当該隙間ΔCを形成する内筒体10Bの周壁の外周面を、外筒体10Aの周壁12bを握り潰すことによって局所的に接触するとともに、そのねじ回しによって周方向に引っ掛かる滑り止め部に構成する。【選択図】図１
2014009012.tif 000002
【特許請求の範囲】
【請求項１】
天壁の外縁から垂下する周壁を有して、その内側に空間が形成される外筒体と、この外筒体の内側に配置されるとともに容器の口筒部に取り外し可能にねじ付けられる周壁を有する内筒体を備え、
外筒体の周壁を、変形及び復元が可能な材料で形成する一方、
外筒体の周壁下端部と内筒体の周壁下端部とにそれぞれ、互いを固定する固定部を設け、当該固定部を除く内筒体の周壁と外筒体の周壁との間に、軸線周りを周回する環状の隙間を形成するとともに、当該隙間を形成する内筒体の周壁の外周面を、外筒体の周壁を握り潰すことによって局所的に接触するとともに、そのねじ回しによって周方向に引っ掛かる滑り止め部に構成したことを特徴とするねじキャップ。
【請求項２】
請求項１において、前記外筒体の周壁を平滑な外周面を有する円筒形状に構成したことを特徴とするねじキャップ。
【請求項３】
請求項１又は２において、内筒体の天壁と、外筒体の天壁とが、互いに接触した状態に組み付けられていることを特徴とするねじキャップ。
【発明の詳細な説明】
【技術分野】
【０００１】
本発明は、容器の口筒部に取り外し可能にねじ付けられるねじキャップに関するものである。
【背景技術】
【０００２】
ねじキャップの外周面には、そのねじ込み及び取り外しを容易にするため、ローレット加工が施されることが一般的である（例えば、特許文献１参照）。
【先行技術文献】
【特許文献】
【０００３】
【特許文献１】特開２００４−２３１２５３号公報
【発明の概要】
【発明が解決しようとする課題】
【０００４】
一方、高齢者や子供の場合、キャップを把持する力（グリップ力）が小さいため、小さな力で楽に開けることができることが好ましい。しかしながら、従来のねじキャップのように、キャップの外周面にローレット加工を施したものは、開閉のし易さに改善の余地がある。また、キャップの外周面にローレット加工を施した場合、キャップの外周面に凹凸が形成されるため、キャップの外観形状に制約を受ける。すなわち、従来のねじキャップでは、開閉時のグリップ力を高めるために、キャップの外観形状を犠牲にしていた。
【０００５】
本発明の目的とするところは、ねじキャップに対するグリップ力を確保しつつ、キャップの外観形状を様々に選択することができる新規なねじキャップを提供することにある。
【課題を解決するための手段】
【０００６】
本発明は、天壁の外縁から垂下する周壁を有して、その内側に空間が形成される外筒体と、この外筒体の内側に配置されるとともに容器の口筒部に取り外し可能にねじ付けられる周壁を有する内筒体を備え、
外筒体の周壁を、変形及び復元が可能な材料で形成する一方、
外筒体の周壁下端部と内筒体の周壁下端部とにそれぞれ、互いを固定する固定部を設け、当該固定部を除く内筒体の周壁と外筒体の周壁との間に、軸線周りを周回する環状の隙間を形成するとともに、当該隙間を形成する内筒体の周壁の外周面を、外筒体の周壁を握り潰すことによって局所的に接触するとともに、そのねじ回しによって周方向に引っ掛かる滑り止め部に構成したことを特徴とするものである。
【０００７】
本発明において、外筒体は、少なくとも周壁が変形及び復元の可能な材料で構成されていればよく、好適には、外筒体全体を変形及び復元の可能な材料で構成する。こうした材料としては、エラストマ等の軟材質の材料が挙げられる。また、滑り止め部は、例えば、内筒体の外周面にローレット加工若しくはスプライン加工を施し、又は、内筒体の外周面を多角形断面状に構成することにより形成することができる。また、滑り止め部は、内筒体の外周面に少なくとも１つの突起を軸線方向に延在させて構成することは勿論、内筒体を軸線周りに非対称な断面形状を有する異形形状とすることにより構成することも可能である。
【０００８】
更に、本発明では、前記外筒体の外周面にローレット加工若しくはスプライン加工を施し、又は、外筒体を多角形状に構成すること等も可能であるが、当該外筒体の周壁を平滑な外周面を有する円筒形状に構成することが好ましい。また、外筒体の外周面も、軸線周りに非対称な断面形状を有する異形形状とすることも可能である。
【０００９】
また、本発明では、内筒体の天壁と、外筒体の天壁との間に隙間を形成した状態に組み付けることも、互いに接触した状態に組み付けることもできる。
【発明の効果】
【００１０】
本発明では、外筒体の周壁を内筒体の外観形状に沿って握り潰して変形させることで、当該外筒体の周壁が、内筒体の外周面を構成する係止部に局所的に接触するとともに、その変形部分が周方向に引っ掛かることで、外筒体が手に馴染んで掴み易くなる。このため、グリップ力の大きくない高齢者や子供等でも、キャップの開閉を比較的容易に行うことができる。
【００１１】
また、外筒体は、手で掴んだときに変形し、その変形は掴みを解除したときに復元する。このため、外筒体の外周面には、ローレット加工等を必ずしも施す必要がないから、ねじキャップの外観形状を様々に選択することができる。
【００１２】
従って、本発明によれば、ねじキャップに対するグリップ力を確保しつつ、キャップの外観形状を様々に選択することができる。
【図面の簡単な説明】
【００１３】
【図１】本発明の一実施形態のねじキャップであって、（ａ）は、同キャップを把持する前の状態を一部断面で示す側面図であり、（ｂ）は、同キャップを把持して外筒体を変形させた状態を一部断面で示す側面図である。
【図２】同実施形態である、ねじキャップに係る、外筒体及び内筒体を上方から示す分解斜視図である。
【図３】本発明の他の実施形態である、ねじキャップであって、（ａ）は、同キャップの内筒体を上方から示す斜視図であり、（ｂ）は、同キャップを把持して外筒体を変形させた状態を示す斜視図である。
【発明を実施するための形態】
【００１４】
以下、図面を参照して、本発明である、ねじキャップの様々な実施形態を詳細に説明する。
【００１５】
図１中、符号１０は、本発明の一実施形態である、ねじキャップである。符号１０Ａは、ねじキャップを構成する外筒体である。外筒体１０Ａは、天壁１１の外縁から一体に垂下する周壁１２を有する。周壁１２は、軸線Ｏ周りを周回する。本形態では、周壁１２は、平滑な外周面１２ｆを有する円筒形状に構成されている。また、外筒体１０Ａは、変形及び復元の可能な材料で構成されている。こうした材料としては、例えば、エラストマ等の軟材質の材料が挙げられる。
【００１６】
符号１０Ｂは、同じく、ねじキャップを構成する合成樹脂製の内筒体である。内筒体１０Ｂも、外筒体１０Ａと同様、天壁１３の外縁から一体に垂下する周壁１４を有する。周壁１４も、軸線Ｏ周りを周回する。内筒体１０Ｂは、容器の口筒部（図示省略）に取り外し可能にねじ付けることができる。本形態では、周壁１４の内周面に、ねじ部１０ｓが形成されている。また、内筒体１０Ｂの天壁１３は、平坦な上端面１３ｆを有し、外筒体１０Ａの天壁１１とは、図１（ａ）に示すとおり、互いに接触した状態に組み付けられている。
【００１７】
符号Ｃ１及びＣ２は、外筒体１０Ａと内筒体１０Ｂを固定する固定部である。本形態では、外筒体１０Ａと内筒体１０Ｂは互いに、固定部Ｃ１によって抜け止め保持されている。固定部Ｃ１としては、例えば、図示のように、外筒体１０Ａにおける周壁下端部（以下、「外筒体周壁下端部」）１２ａの内周面に設けられた、軸線Ｏ周りを周回する内向きの環状凸部ｐと、内筒体１０Ｂにおける周壁下端部（以下、「内筒体周壁下端部」）１４ａの外周面に設けられた、軸線Ｏ周りを周回する環状凹部ｎとを上下方向から嵌合させた凹凸嵌合が挙げられる。これにより、外筒体１０Ａと内筒体１０Ｂは、互いに軸線Ｏに沿って抜けることなく、一体に結合される。また、本形態では、外筒体１０Ａと内筒体１０Ｂは互いに、固定部Ｃ２によって回り止めされている。固定部Ｃ２としては、例えば、図示のように、外筒体周壁下端部１２ａの内周面に周方向に間隔を置いて設けられた縦溝ｇと、内筒体周壁下端部１４ａの外周面に間隔を置いて設けられた縦リブｒとの噛み合いによる嵌合が挙げられる。これにより、外筒体１０Ａと内筒体１０Ｂは、互いに軸線Ｏ周りを空転することなく、一体に結合される。
【００１８】
さらに、外筒体１０Ａの周壁１２と内筒体１０Ｂの周壁１４との間には、固定部Ｃ１及びＣ２を除く領域に、軸線Ｏ周りを周回する環状の隙間ΔＣが形成されている。本形態では、隙間ΔＣは、図１（ａ）に示すように、外筒体周壁下端部１２ａを内向きに突出させて周壁１２の内側に段差を形成するとともに、内筒体周壁下端部１４ａを外向きに突出させて周壁１４の外側に段差を形成することで形成されている。なお、隙間ΔＣは、外筒体周壁下端部１２ａ又は内筒体周壁下端部１４ａのいずれか一方を突出させることにより形成することもできる。
【００１９】
隙間ΔＣを形成する外筒体１０Ａの周壁１２ｂは、変形及び復元が可能な周壁本体（以下、「周壁本体１２ｂ」）を構成する。また、隙間ΔＣを形成する内筒体１０Ｂの周壁１４ｂは、滑り止め部（以下、「滑り止め部１４ｂ」）を構成する。滑り止め部１４ｂの外周面には、周壁本体１２ｂを握り潰すことによって局所的に接触するとともに、そのねじ回しによって周方向に引っ掛かる少なくとも１つの係止部Ｓが設けられている。本形態では、図２に示すように、滑り止め部１４ｂの外周面を多角形状（本形態では、１２角形状）に構成し、そのエッジ（本形態では、１２個のエッジ）Ｓ１をそれぞれ、係止部Ｓとして機能させている。なお、図２には、例示的に１箇所のみに符号Ｓ１を付している。
【００２０】
本形態では、ねじキャップ１０は、変形及び復元が可能な外筒体１０Ａと内筒体１０Ｂからなり、内筒体１０Ｂには、滑り止め部１４ｂが設けられているため、外筒体１０Ａの周壁本体１２ｂを内筒体１０Ｂの外観形状に沿って握り潰して変形させることで、図１（ｂ）の左側半分の断面に示すように、外筒体１０ａの周壁本体１２ｂが、内筒体１０Ｂの滑り止め部１４ｂを構成する複数のエッジＳ１に局所的に接触するとともに、その変形部分が同図の右側半分の側面図に示すように、周方向に引っ掛かることで、外筒体１０Ａが手に馴染んで掴み易くなる。このため、グリップ力の大きくない高齢者や子供等でも、ねじキャップ１０の開閉を比較的容易に行うことができる。特に、本形態のように、外筒体１０Ａをエラストマ等の軟材質の材料を使用した場合、手が触れる外筒体１０Ａの外周面に対するグリップ力も大きく確保できる。すなわち、外筒体１０Ａをエラストマ等の軟材質の材料を使用した場合、滑り止めの効果が発揮されることにより、ねじキャップ１０の開閉をより簡単に行うことができる。
【００２１】
また、外筒体１０Ａは、手で掴んだときに、図１（ｂ）に示すように変形し、その変形は掴みを解除したときに、図１（ａ）に示すように復元する。このため、外筒体１０Ａにおける周壁１２の外周面には、本形態のように、ローレット加工等を必ずしも施す必要がないから、ねじキャップの外観形状を様々に選択することができる。
【００２２】
従って、本形態によれば、ねじキャップ１０に対するグリップ力を確保しつつ、ねじキャップ１０の外観形状を様々に選択することができる。
【００２３】
特に、本形態のように、外筒体１０Ａの周壁１２を平滑な外周面１２ｆを有する円筒形状に構成すれば、この外周面１２ｆに、印刷等の加飾を施すことができる。このため、外筒体１０Ａの形状を変更することなく、ねじキャップ１０の外観を様々に変更することができるとともに、ねじキャップ１０に対して、より良い外観性を持たせることができる。
【００２４】
また、本形態では、上述のとおり、外筒体１０Ａの天壁１１と内筒体１０Ｂの天壁１３とは、互いに接触した状態に組み付けられている。この場合、周壁本体１２ｂを滑り止め部１４ｂの全体に大きく延伸させることができることから、さらに手に馴染んで掴み易くなる。但し、本発明に従えば、外筒体１０Ａの天壁１１と内筒体１０Ｂの天壁１３とは、互いに間隔を形成した状態に組み付けることも可能である。
【００２５】
ところで、滑り止め部１４ｂは、内筒体１０Ｂにおける周壁１４ｂの外周面にスプライン加工を施すことで構成することもできる。図３（ａ）は、本発明の他の実施形態である、ねじキャップ２０に係る、内筒体２０Ｂを示す。以下、図１及び２と実質的に同一の部分は、同一符号をもって、その説明を省略する。
【００２６】
本形態では、上述のとおり、滑り止め部１２ｂにスプライン加工を施してエッジＳ２を形成し、そのエッジＳ２をそれぞれ、係止部Ｓとして機能させている。本形態も、外筒体１０Ａの周壁本体１２ｂを内筒体２０Ｂの外観形状に沿って握り潰して変形させることで、外筒体１０Ａの周壁本体１２ｂが、滑り止め部１２ｂに設けた複数のエッジＳ２に局所的に接触するとともに、その変形部分が図３（ｂ）に示すように周方向に引っ掛かることで、外筒体１０Ａが手に馴染んで掴み易くなる。このため、本形態も、図１及び２に示す実施形態と同様、グリップ力の大きくない高齢者や子供等でも、キャップ１０の開閉を比較的容易に行うことができる。
【００２７】
なお、本発明に従えば、係止部Ｓは、軸線Ｏ方向に伸びる少なくとも１つの突起で構成することができる。また、内筒体１０Ｂの外周面をローレット加工して形成される複数の突起又はエッジを係止部Ｓとして構成することも可能である。さらに、係止部Ｓは、内筒体１０Ｂを軸線Ｏ周りに非対称な異形形状とすることにより形成することも可能である。
【００２８】
また、外筒体１０Ａも同様に、外筒体１０Ａの外周面にローレット加工を施し、又は、外筒体１０Ａの周壁１２を多角形状に構成し、或いは、スプライン加工を施すこと等も可能である。また、外筒体１０Ａの外周面も、軸線Ｏ周りに非対称な断面形状を有する異形形状とすることも可能である。
【００２９】
上述したところは、本発明の様々な実施形態を示したものであるが、本発明に従えば、様々な変更が可能になる。更に、各実施形態の構成中に採用される事項は、互いに適宜、転用等を行うことができる。
【符号の説明】
【００３０】
１０    ねじキャップ（第１の実施形態）
１０Ａ  外筒体
１０Ｂ  内筒体
１１    天壁
１２    周壁
１２ａ  周壁下端部
１２ｂ  周壁本体
１３    天壁
１４    周壁
１４ａ  周壁下端部
１４ｂ  滑り止め部
２０    ねじキャップ（第２の実施形態）
２０Ｂ  内筒体
【図１】
2014009012.tif 000003
【図２】
2014009012.tif 000004
【図３】
2014009012.tif 000005